【事件の表示】
　平成７年特許願第６１７５６号「液晶組成物および液晶表示素子」拒絶査定不服審判事件〔平成８年９月１０日出願公開、特開平８−２３１９６０〕について、次のとおり審決する。
【結　論】
　本件審判の請求は、成り立たない。
【理　由】
１．手続の経緯  
　本願は、平成７年２月２４日を出願日とする特許出願であって、平成１７年８月１９日付けで拒絶査定がなされ、これに対して平成１７年９月２９日に拒絶査定に対する審判が請求されたものである。
 　　　　 
２．本願発明 
　本願の請求項１ないし９に係る発明は、明細書の記載からみて、その特許請求の範囲の請求項１ないし９に記載されたとおりのものと認められる（以下、それぞれ「本願発明１」ないし「本願発明９」といい、まとめて「本願発明」ともいう。）ところ、その本願発明１は次のとおりである。  
「【請求項１】第１成分として、下記一般式Ｉ
【化１】
 　　　　　　　　　　　　　　　　　　　　（Ｉ）
（式中、Ｒ１、Ｒ２は各々独立して炭素数１〜１０のアルキル基を示す。）で表される化合物より成る群から少なくとも１種の化合物を含有し、
第２成分として、一般式ＩＩ−ａ〜ｅ
【化２】
　　　　　　　　　　　　　　　　　　　　　（ＩＩ−ａ）
　　　　　　　　　　　　　　　　　　　　　（ＩＩ−ｂ）
　　　　　　　　　　　　　　　　　　　　　（ＩＩ−ｃ）　
　　　　　　　　　　　　　　　　　　　　　（ＩＩ−ｄ）
　　　　　　　　　　　　　　　　　　　　　（ＩＩ−ｅ）　
（式中、Ｒ３は炭素数２〜１０のアルケニル基を示し、Ｒ４およびＲ５は炭素数１〜１０のアルキル基または炭素数２〜１０のアルケニル基を示し、Ｒ６およびＲ７は炭素数１〜１０のアルキル基を示す。いずれにおいてもそのうちの任意のメチレン基（−ＣＨ２−）は酸素原子（−Ｏ−）によって置換されても良いが、２つ以上のメチレン基が連続して酸素原子に置換されることはない。Ｚ１は−ＣＨ２ＣＨ２−、−ＣＯＯ−または単結合を示し、Ｑ１はＨまたはＦを示し、（Ａ）および（Ｂ）はトランス−１，４−シクロヘキシレンまたは１，４−フェニレンを示し、（Ｃ）はトランス−１，４−シクロヘキシレン、１，４−フェニレンまたは１，３−ジオキサン−トランス−２，５−ジイルを示し、（Ｄ）はトランス−１，４−シクロヘキシレンまたは１，４−フェニレンを示し、ｌは０または１を示す。）で表される化合物群から選択される１種またはそれ以上の化合物を含有し、
第３成分として、一般式ＩＩＩ−ａ，ｂおよびＩＶ
【化３】
     　　　　　　　　　　　　　　　　　　　（ＩＩＩ−ａ）
　　　 　　　　　　　　　　　　　　　　　　（ＩＩＩ−ｂ）　 
（式中、Ｒ８およびＲ９は各々独立して炭素数１〜１０のアルキル基または炭素数２〜８のアルケニル基を示す。いずれにおいてもそのうちの任意のメチレン基（−ＣＨ２−）は酸素原子によって置換されても良いが、２つ以上のメチレン基が連続して酸素原子に置換されることはない。（Ｅ）は１，４−フェニレンまたはピリミジン−２，５−ジイルを示し、Ｚ２は、−Ｃ≡Ｃ−または単結合を示す。）
【化４】
Ｒ１０−（Ｇ）−Ｚ３−（Ｊ）−Ｚ４−（Ｋ）−Ｒ１１　　　
　　　　　　　　　　　　　　　　　　　　　　　　　（ＩＶ）
 （式中、Ｒ１０は炭素数１〜１０のアルキル基または炭素数２〜１０のアルケニル基を示す。いずれにおいてもそのうちの任意のメチレン基（−ＣＨ２−）は酸素原子（−Ｏ−）によって置換されても良いが、２つ以上のメチレン基が連続して酸素原子に置換されることはない。Ｒ１１は炭素数１〜１０のアルキル基、アルコキシ基またはアルコキシメチル基を示し、（Ｇ）はトランス−１，４−シクロヘキシレンまたはピリミジン−２，５−ジイルを示し、（Ｊ）はトランス−１，４−シクロヘキシレン、１，４−フェニレンまたは側位の１つのＨがＦで置換されてもよい１，４−フェニレンを示し、（Ｋ）はトランス−１，４−シクロヘキシレンまたは１，４−フェニレンを示し、Ｚ３は−ＣＨ２ＣＨ２−、−ＣＯＯ−または単結合を示し、Ｚ４は−Ｃ≡Ｃ−、−ＣＯＯ−または単結合を示す。）で表される化合物群から選択される１種またはそれ以上の化合物をさらに含有することを特徴とする液晶組成物。」
 　　　　　　　  
３．原査定の理由  
　原査定の拒絶の理由の概要は、本願発明は、その出願前に頒布された刊行物に記載された発明に基づいて当業者が容易に発明をすることができたものであるから、特許法第２９条第２項の規定により特許を受けることができない、というものであり、該刊行物として、特開平１−１５６３９２号公報（以下、「引用例ｉ」という。）特開昭５８−２１９１３７号公報（以下、「引用例ｉｉ」という。）が提示された。  
 　　　　　　　　　  
４．引用例に記載された事項 
（１）引用例ｉ（特開平１−１５６３９２号公報）
（ 摘記ｉ−１）「本発明第一の発明の液晶組成物は
　一般式
　　　　　　　　　　　　　　　　　　　　　（Ｉ）　　　
（式中、Ｒ１は炭素数２〜８のアルケニル基を示す。）にて表わされる化合物からなる第一成分と
　 一般式
　　　　　　　　　　　　　　　　　　　　　（ＩＩ）　　　　
（式中、Ｒ２は炭素数１〜８のアルキル基、Ｒ３はＨまたはＦ、Ｒ４は炭素数１〜８のアルキル基、アルコキシ基、ＦまたはＣＮ基を示す。）
にて表わされる化合物からなる第二成分とを含有することを特徴とするが、第一成分として１０〜５０重量％、第二成分は３０〜６０重量％の配合割合が好ましい。
　また、本発明の液晶組成物は、第一成分と第二成分にさらに第三成分として
　一般式
　　　　　　　　　　　　　　　　　　　　　（ＩＩＩ）
（式中、Ｒ５は炭素数１〜８のアルキル基またはアルコキシメチル基、Ｒ６は炭素数１〜８のアルキル基、アルコキシ基またはＦ
、
は各々単独に
、
を示し、Ｘは単結合、−ＣＯＯ−、−Ｃ≡Ｃ−を示す。）
にて表わされる化合物の少くとも１種を含有し、第一成分としては１０〜５０重量％、第二成分は３０〜６０重量％、第三成分が１５〜４０重量％の配合割合が好ましい。」（第３頁左上欄８行〜右上欄下から２行）
（摘記ｉ−２）「（産業上の利用分野）本発明は液晶表示用の液晶組成物に関する。さらに詳しくは、スーパーツイスト複屈折効果方式を用いた高時分割表示装置に使用される液晶組成物とそれを用いた液晶表示素子に関する。」（第２頁右上欄４〜８行）
（摘記ｉ−３）「ＳＢＥ方式の表示素子に用いられる液晶組成物に要求される特性としては、
（１）電圧−透過率特性が急峻であること。
（２）ネマチツク−等方性液相転移温度が高いこと。
（３）セル厚（ｄと略記する）に応じて適当な屈折率異方性値（以下△ｎと略記する）をとりうること。
（４）粘度が小さいこと。
などである。
　（２）の特性はＳＢＥ方式においては、Δｎの温度依存性によってデイスプレイに色づきが生じるのを押えるために必要で、透明点はできるだけ高いことが望まれる。（４）はＳＢＥ方式の液晶セルにおいてその応答時間を小さくするのに特に有効である。
（発明が解決しようとする課題）
　本発明の目的は、前記したように高い透明点と小さい粘度をもち、さらに所望の△ｎ値をとりうることに加えて、ＳＢＥ方式表示において電圧−透過率特性における急峻性を改良したネマチツク液晶組成物を提供するにある。本発明の別の目的はＳＢＥ方式において電圧−透過率曲線が急峻でコントラストの良い液晶表示素子を提供することにある。」（第２頁左下欄１５行〜右下欄下から３行）
（摘記ｉ−４）「本発明の液晶組成物は上記（Ｉ）〜（Ｘ）で示される化合物のほかに、しきい値電圧、液晶温度範囲、粘度などを調節する目的で他のネマチツク液晶または液晶性化合物を本発明の目的を害さない範囲で適当量含有することができる。」（第４頁左上欄下から７行〜下から３行）
（摘記ｉ−５）「本発明の液晶組成物は後期の実施例で明らかになるようにネマチツク−等方性液相の転移温度の高さ、セル厚に応じた適当な屈折率異方性値、しきい値電圧等の特性値で従来の液晶組成物と同等以上の特性を示すと同時に、小さい粘度を有し、ＳＢＥ方式液晶表示素子における電圧−透過率特性において急峻性にすぐれ高時分割性を有するのでコントラストの良い液晶表示素子を与える。」（第５頁左下欄１０〜１７行）
（摘記ｉ−６）「実施例７　　　　　　　　　　　　　　　　　　　　
　第一成分すなわち式（Ｉ）の化合物としてつぎの２つの化合物
４−｛トランス−４−（３−ブテニル）シクロヘキシル｝ベンゾニトリル
　　　　　　　　　　　　　　　　　　　　　　　　　　　　　　　１０％
４−｛トランス−４−（３−ぺンテニル）シクロヘキシル｝ベンゾニトリル　　　　　　　　　　　　　　　　　　　　　　　　　　　　　　　１０％
　第二成分すなわち式（ＩＩ）の化合物としてつぎの７つの化合物
４−｛トランス−４−（トランス−４−エチルシクロヘキシル）シクロヘキシル｝ベンゾニトリル
　　　　　　　　　　　　　　　　　　　　　　　　　　　　　　　　５％
４−｛トランス−４−（トランス−４−プロピルシクロヘキシル）シクロヘキシル｝ベンゾニトリル
　　　　　　　　　　　　　　　　　　　　　　　　　　　　　　　　６％
４−｛トランス−４−（トランス−４−プロピルシクロヘキシル）シクロヘキシル｝−１，２−ジフルオロベンゼン
　　　　　　　　　　　　　　　　　　　　　　　　　　　　　　　　９％
４−｛トランス−４−（トランス−４−プロピルシクロヘキシル）シクロヘキシル｝メトキシベンゼン
　　　　　　　　　　　　　　　　　　　　　　　　　　　　　　　　４％
４−｛トランス−４−（トランス−４−プロピルシクロヘキシル）シクロヘキシル｝フルオロベンゼン
　　　　　　　　　　　　　　　　　　　　　　　　　　　　　　　　４％
４−｛トランス−４−（トランス−４−プロピルシクロヘキシル）シクロヘキシル｝トルエン
　　　　　　　　　　　　　　　　　　　　　　　　　　　　　　　　６％
４−｛トランス−４−（トランス−４−プロピルシクロヘキシル）シクロヘキシル｝プロピルベンゼン                                  　
　　　　　　　　　　　　　　　　　　　　　　　　　　　　　　　　６％
　第三成分すなわち式（ＩＩＩ）の化合物としてつぎの３つの化合物
４−エチル−４′−メチルジフエニルアセチレン　　　　　　　　　　５％
４，４′−ジブチルジフエニルアセチレン　　　　　　　　　　　　　５％
４−ヘキシル−４′−メチルジフエニルアセチレン　　　　　　　　　５％
　第四成分すなわち式（ＩＶ）の化合物としてつぎの１つの化合物
４′−エチル−４−シアノビフエニル　　　　　　　　　　　　　　１０％
第一成分から第四成分以外の化合物すなわち式（Ｉ）から式（Ｘ）以外の化合物としてつぎの２つの化合物
２−（４‐エチルフエニル）−５−メチルピリミジン　　　　　　　　７％
２−（４‐エチルフエニル）−５−エチルピリミジン　　　　　　　　８％
からなる液晶組成物を調製し、実施例１と同様にしてその特性を測定した。その結果を表１に示す。」（第８頁左下欄９行〜第９頁左上欄６行）
（摘記ｉ−７）「
」（第９頁左下欄表１）
（摘記ｉ−８）「式（Ｉ）の化合物の含量が５０重量％をこえると比較的透明点が低いので第二成分以下の組合せ方によつては、得られる液晶組成物の透明点が著しく低下する場合がある。・・・本発明において式（ＩＩ）で表わされる化合物の第二成分の含量は３０〜６０重量％が好適である。第一成分および第三成分以下との組合せ方によつては、含量が３０重量％未満では充分なる透明点が得られず・・・悪影響が出る。また含量が６０重量％をこえるとネマチツク相下限温度が上昇し、低温側における動作温度範囲を狭くするので適当でない場合がある。本発明において式（ＩＩＩ）で表わされる化合物の第三成分の含量は１５〜４０重量％が好適である。・・・また含量が４０重量％をこえると充分なる透明点が得られず・・・悪影響が出るので好ましくない。」（第５頁左上欄１４行〜右上欄１８行）
（２）引用例ｉｉ（特開昭５８−２１９１３７号公報）
（摘記ｉｉ−１）「（２）一般式
(但し上式に於いて Ｒ１，Ｒ２は炭素数１〜８のアルキル基を示す )
で表わされる ４−（トランス−４−アルキルオキシメチルシクロヘキシル )−４’−(トランス−４−アルキルシクロヘキシル )ビフエニルを少くとも１種含有することを特徴とする液晶組成物。」（第１頁特許請求の範囲の請求項（２））
（摘記ｉｉ−２）「しかし、そのいずれの表示素子に使用される液晶材料も現在の所、単独の化合物ではその諸特性即ち液晶温度範囲、動作電圧、応答性能等で実用的な使用に耐えるものはなく、数種類〜場合によつては２０種類程度の液晶化合物を混合して実用に耐えるものを得て居るのが現状である。本発明はこの様な実用的な用途に耐える優れた性能を有し、且つ安定性のある液晶組成物を構成する一成分として有用な化合物を提供する事を目的とするものである。」（第１頁右下欄１６行〜第２頁左上欄６行）
（摘記ｉｉ−３）「即ち本発明は、次の一般式で表わされる化合物である。
　　　　　　　　　　　　　　　　　　　　　（Ｉ）
(但し上式に於いてＲ１，Ｒ２は炭素数１〜８のアルキル基を示す )
　本発明の（Ｉ）式の化合物は透明点（Ｎ−Ｉ点）が２８０℃以上と高いため、Ｎ−Ｉ点の低い化合物と混合して組成物の透明点を上昇する効果を有する安定性にすぐれた新規な液晶組成物である。本化合物は他の液晶化合物との相溶性にすぐれているので、例えばビフエニル系、エステル系、アゾキシ系、シクロヘキサンカルボン酸エステル系、フエニルピリミジン系、フエニルシクロヘキサン系、フエニルメタジオキサン系などの液晶化合物と混合して数種類の系にして使用する。」（第２頁左上欄７行〜右上欄３行）
（摘記ｉｉ−４）「実施例４（使用例）
　　　　　　　　　　　　　　　　　　２８．５７部（重量、以下同じ）
　　　　　　　　　　　　　　　　　　３８．０９部
　　　　　　　　　　　　　　　　　　２８．５７部
からなる液晶組成物のネマチツク液晶温度範囲（ＭＲ）は−３〜５２．５℃ ，２０℃に於ける粘度η２０は２３ｃｐ，誘電率異方性Δε は１１．３・・・で、これをセル厚１０μｍのＴＮセルに封入した際のしきい電圧は１．５Ｖ、飽和電圧は２．２Ｖであつた。この組成物に本発明の化合物の一つである
を４．７６部加えた液晶組成物のＭＲは−３〜６１．０℃に広がり、η２０は２５ｃｐ，Δε は１０．８・・・であり・・・しきい電圧は１．６２Ｖ、飽和電圧は２．３０Ｖであつた。」（第４頁左下蘭下から１行〜右下欄１６行）
     　　
５．対比・判断  
　引用例ｉには、高い透明点（ネマチツク−等方性液相転移温度）と小さい粘度をもち、さらに所望の△ｎ値（屈折率異方性値）をとりうることに加えて、ＳＢＥ方式（スーパ−ツイスト複屈折効果方式）表示において電圧−透過率特性における急峻性を改良したネマチツク液晶組成物に係る発明が記載されており（摘記ｉ−２、ｉ−３、ｉ−５）、その液晶組成物として、本願発明１で規定する一般式ＩＩ−ａで表される化合物（以下、「本願発明１の一般式（ＩＩ−ａ）の化合物」という。他の一般式で表される化合物も同様に表記する。）に該当する化合物から成る第一成分（引用例ｉの一般式（Ｉ）の化合物）と、本願発明１の一般式（ＩＩ−ｂ）、（ＩＩ−ｃ）、（ＩＶ）の化合物に該当する化合物を包含する第二成分（引用例ｉの一般式（ＩＩ）の化合物）と、本願発明１の一般式（ＩＩＩ−ａ）、（ＩＩＩ−ｂ）の化合物に該当する化合物を包含する第三成分（引用例ｉの一般式（ＩＩＩ）の化合物）を含有することを特徴とする液晶組成物が記載されており（摘記ｉ−１）、さらに、実施例として具体的に、本願発明１の一般式（ＩＩ−ａ）、（ＩＩ−ｂ）、（ＩＶ）、（ＩＩＩ−ａ）、（ＩＩ−ｄ）に該当する化合物を含有する液晶組成物が記載されている（摘記ｉ−６；実施例７）。
　したがって、引用例ｉには、本願発明１の一般式（ＩＩ−ａ〜ｅ）の化合物群から選択される１種又はそれ以上の化合物を含有し、さらに、本願発明１の一般式（ＩＩＩ−ａ，ｂ）及び（ＩＶ）の化合物群から選択される１種又はそれ以上の化合物を含有する液晶組成物に係る発明が記載されていると認められ、該液晶組成物は当業者に公知である。
　さらに、引用例ｉには、上記の実施例（実施例７）の液晶組成の特性が、透明点は７７．４℃、屈折率異方性は０．１５０、２０℃における粘度は１８．９ｃｐ、しきい値電圧Ｖ１０（２５℃）は１．９７０Ｖと記載され（摘記ｉ−７；表１）、本願発明の実施例の屈折率異方性値と同程度の屈折率異方性値が記載されており、また、引用例ｉ記載の発明である液晶組成物に、しきい値電圧、液晶温度範囲、粘度などを調節する目的で他のネマチツク液晶または液晶性化合物を適当量含有することができる旨も記載されている（摘記ｉ−４）。
　さて、本願発明１と引用例ｉ記載の発明（液晶組成物）とを対比すると、両者は、本願発明１の一般式（ＩＩ−ａ〜ｅ）の化合物群から選択される１種又はそれ以上の化合物と、本願発明１の一般式（ＩＩＩ−ａ，ｂ）及び（ＩＶ）の化合物群から選択される１種又はそれ以上の化合物を含有する液晶組成物である点で一致し、本願発明１が、さらに本願発明１の一般式（Ｉ）の化合物を含有するのに対し、引用例ｉ記載の発明は、該化合物を含有するとされていない点で相違している。
　この相違点について検討する。
　引用例ｉｉには、本願発明１の一般式（Ｉ）の化合物に該当する化合物を少なくとも１種含有することを特徴とする液晶組成物が記載されており（摘記ｉｉ−１）、該化合物は、実用的な用途に耐える優れた性能を有し、且つ安定性のある液晶組成物を構成する一成分として有用な化合物であり（摘記ｉｉ−２）、Ｎ−Ｉ点の低い化合物と混合して組成物の透明点を上昇する効果を有する安定性にすぐれた化合物であり（摘記ｉｉ−３）、具体的に実施例４（使用例）では、本願発明１の一般式（ＩＩ−ｄ）の化合物に該当する化合物の混合物に該化合物を配合することにより透明点が上昇し、かつネマチツク液晶温度範囲が広がることが記載されている（摘記ｉｉ−４）。さらに、該化合物は、他の液晶化合物との相溶性にすぐれ、ビフエニル系、エステル系、・・・フエニルシクロヘキサン系、フエニルメタジオキサン系などの液晶化合物と混合して数種類の系にして使用する旨記載されている（摘記ｉｉ−３）。
　ここで、引用例ｉ記載の発明である組成物は、高い透明点が望ましいものであり、しかも、引用例ｉで記載した化合物の外に、液晶温度範囲、粘度などを調節する目的で他のネマチツク液晶または液晶性化合物を適当量含有することができるとするものであるから、これに、引用例ｉｉに記載されている、液晶組成物を構成する一成分として有用で、組成物の透明点を上昇する効果を有し、安定性にすぐれ、他の液晶化合物との相溶性にすぐれることが公知の一般式（Ｉ）の化合物に該当する化合物を配合して本願発明１の構成の組成物とすることは当業者の容易に想到し得るところであり、それによる効果も本願の明細書の記載からみて、既に示した引用例ｉ及びｉｉの記載から当業者の予想するところであり、格別のものとは認められない。。
　したがって、本願発明１は、その出願前に頒布された刊行物である引用例ｉ、ｉｉに記載された発明に基づいて当業者が容易に発明をすることができたものである。
　　　　　　
　なお、審判請求人は、組成物例及びその特性に係る実験データを示し、本願発明は「ネマチック相温度範囲の低温領域の拡大」効果を有し、進歩性を有する旨主張している。本願明細書では、高い透明点（高いＮＩ点）とすることが強調され、該低温領域の拡大効果については明細書に具体的に記載されていないが、そもそも、本願発明１は、必須とされる第１成分、第２成分及び第３成分の配合量や、該必須とされる成分以外の配合成分（以下「任意成分」という。）の種類に関しては何ら規定していないものであって、広範な液晶組成物を包含するものである。
　ここで、液晶組成物の分野では、配合する全成分の種類及びその配合量が組成物の特性（効果）に影響を与え、成分の種類、配合量が異なれば特性（効果）も異なることは技術常識であり、本願発明１の第１成分、第２成分、第３成分についてみても、本願明細書の段落【００３４】〜【００３６】に「本発明で使用される第１成分（一般式Ｉで表される化合物）の使用量は、液晶組成物の全重量に対して、本発明の主題である広いネマティックレンジを得るという観点から３重量％以上が好ましく、また、粘度を適当な範囲に抑えるという観点から３０重量％以下が好ましい。・・・第２成分（一般式ＩＩ−ａ〜ｅで表される化合物）の使用量は、液晶組成物の全重量に対して、液晶組成物のしきい値電圧を低く抑えるという観点から１５重量％以上が好ましく、他の成分により発現する高ＮＩ点、高Δｎの効果を十分ならしめるという観点から８０重量％以下が好ましい。・・・第３成分（一般式ＩＩＩ−ａ、ｂおよびＩＶで表される化合物）の使用量は、液晶組成物の全重量に対して、高ＮＩ点、高Δｎの効果を十分ならしめるという観点から１０重量％以上が好ましく、また、粘度を適当な範囲に抑えるという観点から６０重量％以下が好ましい。」と記載され、また、引用例ｉには、式（Ｉ）の化合物（本願発明１の第２成分に該当する）の含量が５０重量％をこえると比較的透明点が低いので他成分との組合せ方によっては、得られる液晶組成物の透明点が著しく低下する場合があり、式（ＩＩ）で表される化合物（本願発明１の第２成分、第３成分に該当する）は、他成分との組合せ方によっては、含量が３０重量％未満では充分な透明点が得られず・・・悪影響が出る。また含量が６０重量％をこえるとネマチック相下限温度が上昇し、低温側における動作温度範囲を狭くするので適当でない場合がある。式（ＩＩＩ）で表される化合物（本願発明１の第３成分に該当する）の含量が４０重量％をこえると充分な透明点が得られず悪影響が出るので好ましくない旨記載されている（摘記ｉ−８）ように、その配合量や他成分との組合せにより効果が異なるものであるから、上記のように第１成分、第２成分、第３成分各々の配合量及び任意成分の種類を規定しない本願発明１は、ネマチック相温度範囲の低温領域の拡大や透明点を高くする効果を奏さない液晶組成物をも包含するものである。
　したがって、本願発明１に該当する組成物のいくつかが請求人の主張する効果を奏するとしても、それは本願発明１のうちの一部のものに関する効果であって、本願発明１の構成全体に基づく効果ではない。
　よって、該請求人の主張は採用できない
　　　　　
６．むすび
 　以上のとおり、本願発明１は、引用例ｉ、ｉｉに記載された発明に基づいて当業者が容易に発明をすることができたものであるから、特許法第２９条第２項の規定により特許を受けることができない。
　したがって、本願発明２〜９を検討するまでもなく、本願は拒絶すべきものである。
　よって、結論のとおり審決する。